(57)【要約】【課題】  接続させたいアクセスポイントとは異なるアクセスポイントに接続してしまうことを防止することができるネットワークセットアップシステムを提供する。【構成】  ネットワーク通信手段を備えた電子機器のネットワークパラメータを設定するネットワークセットアップシステムにおいて、アクセスポイントを検索するアクセスポイント検索手段を前記電子機器のネットワーク通信手段に持たせるとともに、前記アクセスポイト検索手段によって得られたアクセスポイントの識別情報を表示する識別情報表示手段と、表示された識別情報から一つの識別情報を選択させるための選択手段と、選択されたアクセスポイントの識別情報と同一の識別情報を有する他のアクセスポイントが前記検索結果に含まれているか否かを判定する判定手段を備え、前記判定手段による判定に応じて、警告メッセージを表示するメッセージ表示手段を備えたことを特徴とする。【選択図】        図１
2006333083.tif 000002
【特許請求の範囲】
【請求項１】
ネットワーク通信手段を備えた電子機器のネットワークパラメータを設定するネットワークセットアップシステムにおいて、
アクセスポイントを検索するアクセスポイント検索手段を前記電子機器のネットワーク通信手段に持たせるとともに、前記アクセスポイト検索手段によって得られたアクセスポイントの識別情報を表示する識別情報表示手段と、表示された識別情報から一つの識別情報を選択させるための選択手段と、選択されたアクセスポイントの識別情報と同一の識別情報を有する他のアクセスポイントが前記検索結果に含まれているか否かを判定する判定手段を備え、前記判定手段による判定に応じて、警告メッセージを表示するメッセージ表示手段を備えたことを特徴とするネットワークセットアップシステム。
【請求項２】
ネットワーク通信手段を備えた電子機器のネットワークパラメータを設定するネットワークセットアップシステムにおいて、
アクセスポイントを検索するアクセスポイント検索手段を前記電子機器のネットワーク通信手段に持たせるとともに、前記アクセスポイト検索手段によって得られたアクセスポイントの識別情報を記憶するための識別情報記憶手段と、前記識別情報を表示する識別情報表示手段と、表示された識別情報から一つの識別情報を選択させるための選択手段と、前記選択手段によって前記アクセスポイト検索手段による検索結果の中から一つのアクセスポイントの識別情報が選択されたことを認識する認識手段と、選択されたと認識されたアクセスポイントの識別情報と同一の識別情報を有する前記選択されたアクセスポイント以外のアクセスポイントが前記検索結果に含まれているか否かを比較する比較手段を備え、前記比較手段によって選択されたと認識されたアクセスポイントの識別情報と同一の識別情報を有する前記選択されたアクセスポイント以外のアクセスポイントが前記アクセスポイント検索手段による検索結果に含まれていることを検出した場合、警告メッセージを表示するメッセージ表示手段を備えたことを特徴とするネットワークセットアップシステム。
【請求項３】
ネットワーク通信手段を備えた電子機器を、ホストコンピュータから送信されたコマンドに従ってセットアップを行うとともに、前記ホストコンピュータに登録するネットワークセットアップシステムにおいて、
前記コマンドに応じてアクセスポイントを検索するアクセスポイント検索手段を前記印刷装置のネットワーク通信手段に持たせ、前記アクセスポイト検索手段によって得られた検索結果からアクセスポイントの識別情報リストを作成する識別情報作成手段と、前記識別情報リストを前記ホストコンピュータに送信する手段を前記電子機器に持たせるとともに、前記ホストコンピュータは前記識別情報リストを受信すると前記識別情報リストを表示する表示手段と、表示されたアクセスポイント識別情報リストから一つのアクセスポイントに関する識別情報を選択するための選択手段と、選択されたアクセスポイントの識別情報と同一の識別情報を有する他のアクセスポイントが前記検索結果に含まれているか否かを判定する比較手段とを備え、前記判定手段による判定に応じて、警告メッセージを表示するメッセージ表示手段を備えたことを特徴とするネットワークセットアップシステム。
【請求項４】
前記判定手段によって、前記他のアクセスポイントが前記検索結果に含まれていないと判定された場合は、当該識別情報を前記電子機器のネットワーク通信手段に設定し、前記他のアクセスポイントが前記検索結果に含まれていると判定された場合は当該識別情報を電子機器のネットワーク通信手段に設定せずに、アクセスポイント検索指示操作またはセットアップの中止操作を待機することを特徴とする、請求項１または請求項３に記載のネットワークセットアップシステム。
【請求項５】
前記メッセージ表示手段は、次のステップに進めるか前のステップに戻るかを選択させるステップ選択手段を備え、前記ステップ選択手段によって、次のステップに進めるための選択がされた場合は、当該識別情報を前記電子機器のネットワーク通信手段に設定し、前記ステップ選択手段によって、前のステップに戻るための選択がされた場合は、当該識別情報を前記電子機器のネットワーク通信手段に設定せずに、アクセスポイント検索指示操作またはセットアップの中止操作を待機することを特徴とする、請求項１または請求項３に記載のネットワークセットアップシステム。
【請求項６】
前記選択されたアクセスポイントの識別情報を前記電子機器のネットワーク通信手段に設定し、セットアップ工程を進めるとともに、前記判定手段によって、前記他のアクセスポイントが前記検索結果に含まれていると判断された場合は、一連のセットアップ工程を終了した時点で、メッセージを表示することを特徴とする、請求項１または請求項３に記載のネットワークセットアップシステム。
【発明の詳細な説明】
【技術分野】
【０００１】
本発明は、ネットワーク対応印刷装置などの電子機器のネットワークセットアップシステムに関する。
【背景技術】
【０００２】
近年におけるコンピュータ技術や通信技術の発展は著しいものがあり、オフィスだけでなく家庭へもネットワークの普及が進んでいる。これらネットワークを形成する端末としては、パーソナルコンピュータのみならず、プリンタなどの周辺機器もネットワーク機能を備えたものが登場している。更には、ネットワークの通信媒体がメタリックケーブルや光ファイバなどの有線媒体だけでなく、電波や赤外線などを利用した無線媒体も流行しつつある。特に携帯型の情報端末装置を利用する場合や家庭に情報端末装置やプリンタなどの周辺装置を設置するような場合には、通信手段としては、特殊なケーブルを必要とせずに手軽に接続できる無線通信手段が要望されている。また一方では、各種無線通信方式の標準化が推進されている。
【０００３】
電波や赤外線などの無線通信媒体を利用してパケット化されたデータの送受信を行う方式の標準化の一例を挙げると、ＩＥＥＥ標準委員会ではＩＥＥＥ  Ｓｔｄ  ８０２．１１という名称で無線ＬＡＮの物理層およびメディアアクセス制御層（以下、ＭＡＣ層と略記する）を標準化した。更にＩＥＥＥ  Ｓｔｄ  ８０２．１１ａ、ＩＥＥＥ  Ｓｔｄ  ８０２．１１ｂおよびＩＥＥＥ  Ｓｔｄ  ８０２．１１ｇとして高速な物理層およびＭＡＣ層を標準化している。ＩＥＥＥ  Ｓｔｄ  ８０２．１１では通信媒体として電波だけでなく、赤外線の利用も含めていたが、ＩＥＥＥ  Ｓｔｄ  ８０２．１１ａ、ＩＥＥＥ  Ｓｔｄ  ８０２．１１ｂおよびＩＥＥＥ  Ｓｔｄ  ８０２．１１ｇでは通信媒体は電波のみである。ＩＥＥＥ  Ｓｔｄ  ８０２．１１ａ、ＩＥＥＥ  Ｓｔｄ  ８０２．１１ｂおよびＩＥＥＥ  Ｓｔｄ  ８０２．１１ｇはＩＥＥＥ  ８０２．１１に対する追補版であり、ＩＥＥＥ  Ｓｔｄ  ８０２．１１で規定する機能を包含する。
【０００４】
また、ＩＥＥＥ  Ｓｔｄ  ８０２．１１、ＩＥＥＥ  Ｓｔｄ  ８０２．１１ｂおよびＩＥＥＥ  Ｓｔｄ  ８０２．１１ｇで使用する電磁波の周波数帯域は、利用者が免許取得を不要とする２．４ＧＨｚ（ギガヘルツ）帯である。
【０００５】
ＩＥＥＥ  Ｓｔｄ  ８０２．１１では通信速度は１Ｍｂｉｔ／秒（メガビット毎秒）乃至２Ｍｂｉｔ／秒であるが、ＩＥＥＥ  Ｓｔｄ  ８０２．１１ｂでは前記に５．５Ｍｂｉｔ／秒および１１Ｍｂｉｔ／秒の通信速度が加えられている。
【０００６】
一方、ＩＥＥＥ  Ｓｔｄ  ８０２．１１ａでは使用する電磁波の周波数帯域が５ＧＨｚ帯であり、６Ｍｂｉｔ／秒から５４Ｍｂｉｔ／秒の通信速度が規定されている。
【０００７】
またＩＥＥＥ  Ｓｔｄ  ８０２．１１ｇという新規格では２．４ＧＨｚ帯を使用して最大５４Ｍｂｉｔ／秒の通信が規定されている。
【０００８】
電磁波を使う無線通信方式は、ＩＥＥＥ  Ｓｔｄ  ８０２．１１では直接拡散方式（ＤＳ）方式および周波数ホッピング方式（ＦＨ方式）の両方を採用している。
【０００９】
ＩＥＥＥ  Ｓｔｄ  ８０２．１１ｂではＤＳ方式を採用している。
【００１０】
ＩＥＥＥ  Ｓｔｄ  ８０２．１１ａおよびＩＥＥＥ  Ｓｔｄ  ８０２．１１ｇではＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）という方式を採用している。
【００１１】
一般に無線ネットワークはＳＳＩＤ（Ｓｅｒｖｉｃｅ  Ｓｅｔ  Ｉｄｅｎｔｉｆｉｅｒ）またはＥ−ＳＳＩＤ（Ｅｘｔｅｎｄｅｄ  Ｓｅｒｖｉｃｅ  Ｓｅｔ  Ｉｄｅｎｔｉｆｉｅｒ）と呼ばれる識別情報を、当該ネットワークに参加する各装置に設定することによって構成される。例えば図１３において、無線ネットワーク１３００はアクセスポイント１３０１および無線ネットワーク端末装置１３０２乃至無線ネットワーク端末装置１３０５にＳＳＩＤとしてＡＢＣＤという識別情報を設定することにより、それぞれが相互接続可能となるように構成される。無線ネットワーク１３１０はアクセスポイント１３１１および無線ネットワーク端末装置１３１２乃至無線ネットワーク端末装置１３１５にＳＳＩＤとしてＥＦＧＨという識別情報を設定することにより、それぞれが相互接続可能となるように構成される。
【００１２】
更に上述した例の無線ネットワーク１３００では、まず最初にアクセスポイント１３０１のＳＳＩＤをＡＢＣＤと設定し、それに合わせて各無線ネットワーク端末装置１３０２乃至１３０５のＳＳＩＤをＡＢＣＤと設定するのが一般的である。無線ネットワーク１３１０においても、まず最初にアクセスポイント１３１１のＳＳＩＤをＥＦＧＨと設定し、それに合わせて各無線ネットワーク端末装置１３１２乃至１３１５のＳＳＩＤをＥＦＧＨと設定するのが一般的である。ここで、もしもアクセスポイント１３１１のＳＳＩＤもＡＢＣＤと設定されてしまうと、無線ネットワーク１３００と無線ネットワーク１３１０は混乱を生じる。すなわち、もし無線ネットワーク端末装置１３０５がアクセスポイント１３０１にもアクセスポイント１３１１にも電波が届く範囲にあるとすると、無線ネットワーク端末装置１３０５のＳＳＩＤをＡＢＣＤと設定した瞬間にアクセスポイント１３０１およびアクセスポイント１３１１のどちらにも接続される可能性がある。オフィスなどで、アクセスポイント１３０１とアクセスポイント１３１１が有線ＬＡＮで接続されている環境であれば、無線ネットワーク１３００と無線ネットワーク１３１０は大きな一つの無線ネットワークとして機能するが、無線ネットワーク１３００と無線ネットワーク１３１０が近接するそれぞれ別の家庭であるとすると、無線ネットワーク端末装置１３０５はどちらの家庭のアクセスポイント（１３０１または１３１１）に接続されるかわからないという、非常に不安定な状態となる。
【００１３】
一方でインターネット接続技術やインターネットを利用した情報提供サービスが発展しており、家庭でもインターネットの利用が急速に進んでいる。家庭においてパーソナルコンピュータをインターネットに接続させる形態の一つとして、図１４に示すような無線ネットワークを利用する形態がある。同図において１４０１および１４０２は無線ネットワーク機能を内蔵もしくは無線ネットワークアダプタを装着したパーソナルコンピュータ、１４０４はＡＤＳＬやケーブルテレビ回線などのいわゆるブロードバンド回線と接続されるモデム、１４０３はモデム１４０４にパーソナルコンピュータ１４０１やパーソナルコンピュータ１１０２を接続してＩＰ（Ｉｎｔｅｒｎｅｔ  Ｐｒｏｔｏｃｏｌ）アドレスなどを管理したり、必要な情報をモデム１４０４と間で中継し、更には無線ネットワークのアクセスポイントの機能を併せ持つルータ、１４０５はモデム１４０４とルータ１４０３を接続するためのネットワークケーブル、１４０６はＡＤＳＬ（Ａｓｙｍｍｅｔｒｉｃ  Ｄｉｇｉｔａｌ  Ｓｕｂｓｃｒｉｂｅｒ  Ｌｉｎｅ）やケーブルテレビ回線などのインターネットに接続するための回線、１４０７は様々なインターネット情報の経路となるＷＡＮ（Ｗｉｄｅ  Ａｒｅａ  Ｎｅｔｗｏｒｋ）である。パーソナルコンピュータ１４０１、１４０２およびルータ１４０３が家庭内の無線ネットワークを形成する。
【００１４】
従来無線ネットワーク端末装置を無線ネットワークに接続させるための設定手段として、無線アクセスポイントの識別情報を受信・記憶しておき、当該識別情報当該無線ネットワーク端末装置に設定することにより、当該無線ネットワーク端末装置を当該無線アクセスポイントに接続させる手段（例えば特許文献１参照。）が知られている。
【００１５】
一方、類似の技術として、一つのネットワーク上の複数の端末装置に同一のＩＰアドレスを設定しないための手段が提案されている（例えば特許文献２参照。）。
【特許文献１】特開２００４−２４１９１１号公報
【特許文献２】特開平１１−２８２６４４号公報
【発明の開示】
【発明が解決しようとする課題】
【００１６】
ところが、前述したように無線ネットワークを構成するアクセスポイントを購入またはインターネットサービスプロバイダから賃借した時点で、アクセスポイントに設定されているＳＳＩＤはメーカー名やアクセスポイントの愛称、インターネットサービスブロバイダ名などで統一されている場合が多い。従って近隣の家庭でも同一のアクセスポイントを購入またはインターネットサービスプロバイダから賃借したまま使用していると、同一のＳＳＩＤになってしまう場合がある。
【００１７】
ところが、上記特許文献１に代表される従来の技術では、同じＳＳＩＤに設定されているアクセスポイントが近隣に存在する可能性に関しては考慮されていなかった。従って、無線ネットワーク端末装置にアクセスポイントの識別情報（ＳＳＩＤ）を受信させて、その識別情報の中から当該無線ネットワーク端末装置に識別情報（ＳＳＩＤ）を設定するような場合、近隣に同一のＳＳＩＤに設定されたアクセスポイントが存在すると、当該無線ネットワーク端末装置はどちらのアクセスポイントに接続されるかわからないという非常に不安定な状態になってしまうという課題があった。
【００１８】
本発明は、前述したような不安定な状態になることを防ぐ、好適なネットワークセットアップシステムを提供することを目的とする。
【課題を解決するための手段】
【００１９】
前記目的を達成するために、本発明は、ネットワーク通信手段を備えた電子機器のネットワークパラメータを設定するネットワークセットアップシステムにおいて、アクセスポイントを検索するアクセスポイント検索手段を前記電子機器のネットワーク通信手段に持たせるとともに、前記アクセスポイト検索手段によって得られたアクセスポイントの識別情報を表示する識別情報表示手段と、表示された識別情報から一つの識別情報を選択させるための選択手段と、選択されたアクセスポイントの識別情報と同一の識別情報を有する他のアクセスポイントが前記検索結果に含まれているか否かを判定する判定手段を備え、前記判定手段による判定に応じて、警告メッセージを表示するメッセージ表示手段を備えたことを特徴とする。
【００２０】
また、ネットワーク通信手段を備えた電子機器のネットワークパラメータを設定するネットワークセットアップシステムにおいて、アクセスポイントを検索するアクセスポイント検索手段を前記電子機器のネットワーク通信手段に持たせるとともに、前記アクセスポイト検索手段によって得られたアクセスポイントの識別情報を記憶するための識別情報記憶手段と、前記識別情報を表示する識別情報表示手段と、表示された識別情報から一つの識別情報を選択させるための選択手段と、前記選択手段によって前記アクセスポイト検索手段による検索結果の中から一つのアクセスポイントの識別情報が選択されたことを認識する認識手段と、選択されたと認識されたアクセスポイントの識別情報と同一の識別情報を有する前記選択されたアクセスポイント以外のアクセスポイントが前記検索結果に含まれているか否かを比較する比較手段を備え、前記比較手段によって選択されたと認識されたアクセスポイントの識別情報と同一の識別情報を有する前記選択されたアクセスポイント以外のアクセスポイントが前記アクセスポイント検索手段による検索結果に含まれていることを検出した場合、警告メッセージを表示するメッセージ表示手段を備えたことを特徴とする。
【００２１】
また、ネットワーク通信手段を備えた電子機器を、ホストコンピュータから送信されたコマンドに従ってセットアップを行うとともに、前記ホストコンピュータに登録するネットワークセットアップシステムにおいて、前記コマンドに応じてアクセスポイントを検索するアクセスポイント検索手段を前記印刷装置のネットワーク通信手段に持たせ、前記アクセスポイト検索手段によって得られた検索結果からアクセスポイントの識別情報リストを作成する識別情報作成手段と、前記識別情報リストを前記ホストコンピュータに送信する手段を前記電子機器に持たせるとともに、前記ホストコンピュータは前記識別情報リストを受信すると前記識別情報リストを表示する表示手段と、表示されたアクセスポイント識別情報リストから一つのアクセスポイントに関する識別情報を選択するための選択手段と、選択されたアクセスポイントの識別情報と同一の識別情報を有する他のアクセスポイントが前記検索結果に含まれているか否かを判定する比較手段とを備え、前記判定手段による判定に応じて、警告メッセージを表示するメッセージ表示手段を備えたことを特徴とする。
【発明の効果】
【００２２】
本発明によれば、接続させたいアクセスポイントとは異なるアクセスポイントに接続してしまうことを防止することができる。または、少なくとも、接続させたいアクセスポイントとは異なるアクセスポイントに接続してしまう可能性があることをユーザに通知することができる。
【発明を実施するための最良の形態】
【００２３】
以下、本発明の実施の形態を図を用いて説明する。
【実施例１】
【００２４】
図１は、本実施例に係る無線ネットワーク対応プリンタの概略ブロック図である。
【００２５】
同図において１０１はプリンタ、１０２はＩＥＥＥ  Ｓｔｄ  ８０２．１１ｇなどに準拠した無線ＬＡＮ通信部、１０３はＵＳＢ（Ｕｎｉｖｅｒｓａｌ  Ｓｅｒｉａｌ  Ｂｕｓ）通信部、１０４は無線ＬＡＮ通信部１０２に設定したＳＳＩＤ（無線ＬＡＮの識別情報）や無線ＬＡＮ通信部１０２に設定したＩＰアドレスなどの各種パラメータを記憶しておくための通信設定パラメータ記憶部、１０５は通信設定パラメータ記憶部１０４から読み出した値を無線ＬＡＮ通信部１０２に設定したり、無線ＬＡＮ通信部１０２またはＵＳＢ通信部１０３を必要に応じて切り替え制御したり、無線ＬＡＮ通信部１０２またはＵＳＢ通信部１０３が受信したデータを処理したり、無線ＬＡＮ通信部１０２またはＵＳＢ通信部１０３のうち使用されている通信部へ送信データを入力するなどの通信制御部、１０６は通信制御部１０５が受信した印刷データを順次書き込むためのリングバッファなどから成る印刷データ一時記憶部、１０７は印刷データ一時記憶部１０６から読み出した印刷データに従って印刷媒体にインクを吐出するなどして印刷を実行する印刷エンジン部である。印刷エンジン部は上記のようなインクジェット方式に限らず、感熱方式、電子写真方式など他の方式であっても構わない。
【００２６】
図２は本実施例を実施したホストコンピュータの概略ブロック図である。
【００２７】
同図において２０１はコンピュータ、２０２はコンピュータ２０１の各部を制御するための主制御部、２０３は主制御部２０２がプログラムを読み出したり、必要に応じて情報やデータを記憶させるためのメモリ、２０４は液晶表示装置などから成る表示部、２０５はキーボードやマウスなどによる操作部、２０６はＩＥＥＥ  Ｓｔｄ  ８０２．１１ｇなどに準拠した無線ＬＡＮ通信部、２０７は無線ＬＡＮ通信部２０６に設定したＳＳＩＤ（無線ネットワークの識別名称）やＩＰアドレスなどの各種パラメータを記憶しておくための無線ＬＡＮ用パラメータ記憶部、２０８は無線ＬＡＮ用パラメータ記憶部２０７から読み出した値を無線ＬＡＮ通信部２０６に設定したり、無線ＬＡＮ通信部２０６が受信したデータを処理したり、無線ＬＡＮ通信部２０６へ送信データを入力するなどの無線ＬＡＮ制御部、２０９はＵＳＢ通信制御部、２１０はＵＳＢポート、２１１は無線ＬＡＮポート、２１２はＵＳＢポート２１０と無線ＬＡＮポート２１１とを必要に応じて主制御部の指示によって切り替えたり、ＵＳＢ通信制御部２０９と主制御部２０２との間で所定のコマンドの送受信を中継するポート切り替え制御部、２１３は主制御部２０２の指示によって入力されたデータを出力するプリンタに合わせた印刷データに変換する印刷データ変換部、２１４は印刷データ変換部２１３によって変換された印刷データを一時格納しておき、ポート切替制御部２１２によってＵＳＢポート２１０または無線ＬＡＮポート２１１のどちらが印刷のための通信が可能になっている（プリンタのポートが切り替えられている）かによって順次無線ＬＡＮ制御部２０８またはＵＳＢ通信制御部２０９を経由してプリンタへ印刷データを送信するための印刷データ一時記憶部、２１５はプリンタのステータス情報を主制御部２０２のコマンドによって読み出すためのプリンタ状態読み取り制御部であり、ポート切り替え制御部によってＵＳＢポート２１０を経由してプリンタ１０１と通信するか、無線ＬＡＮポート２１１を経由してプリンタ１０１と通信するかが定まる。
【００２８】
図３は、プリンタ１０１およびコンピュータ１０２に示した手段を有するプリンタ３０１およびコンピュータ３０２を使用して無線ＬＡＮでプリンタ３０１とコンピュータ３０２間の通信を行うシステム構成図の一例である。同図において、３０１は無線ＬＡＮ機能およびＵＳＢ通信機能を有する１０１のようなプリンタ、３０２は無線ＬＡＮおよびＵＳＢ通信機能を有する２０１のようなコンピュータである。３０３は無線ＬＡＮの中継および無線ＬＡＮと有線ＬＡＮの中継機能を有する無線ＬＡＮアクセスポイント機能付きのルータ、３０４はＡＤＳＬ（Ａｓｙｍｍｅｔｒｉｃ  Ｄｉｇｉｔａｌ  Ｓｕｂｓｃｒｉｂｅｒ  Ｌｉｎｅ）モデムなどのような、コンピュータ３０２が公衆回線にアクセスするために必要なモデム、３０５はルータ３０３とモデム３０４を接続するＬＡＮケーブル、３０６はＡＤＳＬ回線のような公衆回線、３０７はコンピュータ３０２がＡＤＳＬ回線３０６を介してインターネットにアクセスしたり、電子メールの送受信を行うＷＡＮ（Ｗｉｄｅ  Ａｒｉａ  Ｎｅｔｗｏｒｋ）である。３０８はコンピュータ３０２にプリンタ３０１用のドライバソフトウェアをインストールしたり、プリンタ３０１の無線ＬＡＮ機能をセットアップしたり、コンピュータ３０２にセットアップしたプリンタ３０１用のポートを設定するためにプリンタ３０１のＵＳＢポートとコンピュータ３０２のＵＳＢポートを一時的に接続するためのＵＳＢケーブルである。
【００２９】
コンピュータ３０２とプリンタ３０１をＵＳＢで接続するのは、確実にコンピュータ３０２と印刷装置３０１と間で設定情報やコマンドを確実に送受信するためである。
【００３０】
図４は、コンピュータ２０１にプリンタ１０１用のプリンタドライバソフトウェアをインストールする手順を示す概略フローチャートである。
【００３１】
コンピュータ２０１の図示しないＣＤ−ＲＯＭドライブに、プリンタ１０１用のＣＤ−ＲＯＭをセットすると、主制御部２０２はＣＤ−ＲＯＭ内のセットアッププログラムを起動して、プリンタソフトウェアのインストールを開始する。まず、ＣＤ−ＲＯＭからプリンタドライバソフトイウェアをメモリの所定の領域にコピーする（Ｓ１０１）。次に主制御部２０２はＣＤ−ＲＯＭから読み出される情報に従って表示部２０４に、プリンタ１０１のＵＳＢ通信部１０４とコンピュータ１０１のＵＳＢポート２１０をＵＳＢケーブル３０８で接続してプリンタ１０１の図示しない電源スイッチをＯＮするように促す表示を行う（Ｓ１０２）。ここから所定時間経過前に主制御部２０２が、プリンタ１０１が接続されたことをプラグアンドプレイによって認識すると（Ｓ１０４）、プリンタ状態読み取り制御部２１５からＵＳＢポート経由でプリンタ１０１の情報を読み取り、メモリ２０３の所定領域に設定して（Ｓ１０５）、プリンタドライバのインストールが完了したことを表示部２０４に表示させる（Ｓ１０６）。
【００３２】
続いてプリンタ１０１を無線ネットワークで使用する場合には無線ネットワークセットアップが選択される必要がある。この無線ネットワークセットアップが選択された場合は（Ｓ１０７のＹＥＳ）、無線ネットワークセットアップに関するフローチャート図５へ進む。
【００３３】
ステップＳ１０７で、プリンタ１０１無線ネットワークで使用しない、換言するとＵＳＢ接続のままで使用する旨の選択がされた場合は無線ネットワークのセットアップを行わずに終了する。Ｓ１０３において、主制御部２０１が所定時間内にプリンタ１０１を認識しなかった場合、例えばプリンタ１０１の電源をＯＮにしなかったり、ＵＳＢケーブルで接続しないうちに所定時間が経過した場合は表示部２０４にプリンタドライバのインストールが正常に完了しなかったこと表示し（Ｓ１０８）、終了する。
【００３４】
図５はコンピュータ２０１にプリンタドライバをインストールした後、プリンタ１０１を無線ネットワークで使用する場合に行う処理手順を示すフローチャートである。
【００３５】
図４に示したプリンタドライバのインストール完了後、プリンタを無線ネットワークで使用するために操作部２０５によってセットアップを行うことが選択されると（図４のＳ１０７）、主制御部２０２はポート切り替え制御部２１２、ＵＳＢ通信制御部２０９、ＵＳＢポート２１０を経由して無線ＬＡＮのセットアップを開始する予め定められたコマンドをプリンタ１０１へ送信する。プリンタ１０１では、ＵＳＢ通信部１０３を経由して上記コマンドを通信制御部１０５が受信すると、無線ＬＡＮ通信部１０２を起動し、通信設定パラメータ記憶部１０４から読み出した所定の設定値を無線ＬＡＮ通信部１０２に入力する。コンピュータ２０１の主制御部２０２は続けてアクセスポイントを検索するコマンドをプリンタ１０１へＵＳＢ経由で送信する（Ｓ２０１）。プリンタ１０１の通信制御部１０５はＳ２０１で送信されたコマンドを受信すると、無線ＬＡＮ通信部１０２を、例えばＳＳＩＤをＡＮＹに、暗号化をＯＦＦに設定するなどのアクセスポイントを検索するための設定に変更する。通信制御部１０５は無線ＬＡＮ通信部１０２が検出したアクセスポイントに関する情報、例えば検出された各アクセスポイントに設定されているＳＳＩＤ、無線チャンネル、暗号化設定の有無または種別などをコンピュータ２０１へＵＳＢ経由で返送する。上記返送されたプリンタ１０１が検出したアクセスポイントの情報を主制御部２０２は表示部２０４へ例えば図６に示すように表示する（Ｓ２０２）。
【００３６】
図６はプリンタ１０１の無線ＬＡＮ通信部１０２が検出したアクセスポイントに関する情報をステップＳ２０２でコンピュータ２０１の主制御部２０２が表示部２０４に表示させる画面の表示例である。同図では左側から検出した各アクセスポイントのＳＳＩＤ、無線ＬＡＮ通信部１０２が各アクセスポイントから受信した電波の強さ、各アクセスポイントに暗号化が設定されているかどうかを表示している。また、表示されているＳＳＩＤからどれか一つを選択して、プリンタ１０１をそのＳＳＩＤのアクセスポイントに接続させるために操作する接続ボタン、セットアップを中止するために操作する中止ボタン、再度アクセスポイントをプリンタ１０１の無線ＬＡＮ通信部に検出させるために操作する再検出ボタンを表示するものとする。
【００３７】
図６は画面の大きさの制限などにより、プリンタ１０１の無線ＬＡＮ通信部１０２が所定の数を越えるアクセスポイントを検出した場合、該検出したすべてのアクセスポイントに関する情報を表示していない場合がある。図６の表示画面はスクロール機能を備えていて、スクロールすることにより、表示されていないアクセスポイント情報が表示される場合もある。図６では３台のアクセスポイントに関する情報を表示しているが、実際にプリンタ１０１の無線ＬＡＮ通信部１０２が検出したアクセスポイントは図１５に示すように５台であったような場合もある。
【００３８】
続いて操作部２０５によって表示されたアクセスポイントから一つのアクセスポイントが選択され、暗号化が設定されているアクセスポイントである場合はプリンタにも同様の暗号化設定を行うための情報が入力されると（Ｓ２０３）、主制御部２０２は、選択されたアクセスポイントのＳＳＩＤと同じＳＳＩＤを持つアクセスポイントが、プリンタ１０１から受信したアクセスポイント検出情報に含まれていないかどうかを確認する（Ｓ２０４）。アクセスポイント検出情報に含まれる他のアクセスポイントのＳＳＩＤが選択されたアクセスポイントのＳＳＩＤとは異なるＳＳＩＤであることが確認されると（Ｓ２０４のＹＥＳ）、主制御部２０２はＵＳＢ経由でプリンタ１０１にＳ２０３で選択および入力された設定情報を送信する（Ｓ２０５）。これを受信したプリンタ１０１の通信制御部１０５は受信した設定情報を無線ＬＡＮ通信部１０２に入力し、無線ＬＡＮ通信部１０２がアクセスポイントに接続されたか否かを観察する。接続されたと判断すると、アクセスポイントに接続されたことを示す情報をコンピュータ２０１へ返送する。主制御部２０２はプリンタ１０１がアクセスポイントに接続されたことの通知を受けると（Ｓ２０６）、次に無線ＬＡＮ制御部２０８へ所定のプリンタを検出するためのコマンドを入力し、無線ＬＡＮ通信部２０６、無線ＬＡＮポート２１１を経由してプリンタ１０１へ送信する（Ｓ２０７）このコマンドは図３で言うとコンピュータ３０２からルータ３０３経由で無線ＬＡＮでプリンタ３０１へ送信されることになる。
【００３９】
プリンタ３０１からルータ３０３を経由して無線ＬＡＮで所定の返信コマンドをコンピュータ３０２が受信すれば、主制御部２０２は無線ＬＡＮでプリンタ１０１を検出できたと判断し（Ｓ２０８のＹＥＳ）、コンピュータ２０１に所定の無線ＬＡＮポート名を加えて、プリンタ１０１用のポートをＵＳＢポート２１０から前記ポート名を付けた無線ＬＡＮポート２１１に切り替える（Ｓ２０９）。以後はコンピュータ２０１で印刷操作を行うと、主制御部２０２からプリンタ１０１へ送信される印刷データは印刷データ変換部２１３、印刷データ一時記憶部２１４、ポート切り替え部２１２、無線ＬＡＮ通信制御部２０８、無線ＬＡＮ通信部２０６および無線ＬＡＮポート２１１を通ってプリンタ１０１へ送信される。この段階で図３に示したＵＳＢケーブル３０８は取り外すことが可能となる。主制御部は表示部２０４にネットワークセットアップが完了したことを表示し（Ｓ２１０）、処理を終了する。
【００４０】
Ｓ２０８でプリンタを無線ＬＡＮ経由で検出しなかった場合、プリンタ１０１のネットワーク設定値をＵＳＢ経由で送信させ、表示部２０４へ表示させる（Ｓ２１１）。この表示によって、正しくない個所があって設定変更操作が施されれば（Ｓ２１２）、その設定情報を再度プリンタ１０１へＵＳＢ経由で送信して（Ｓ２１３）、無線ＬＡＮ通信部１０２の設定を変更させ、Ｓ２０７へ戻る。Ｓ２１２で設定変更する代わりにセットアップを中止する操作がなされた場合は（Ｓ２１４）、これまでの処理を中断してプリンタ１０１のネットワークセットアップ処理を終了する。この場合、コンピュータ１０１からセットアップ中断のコマンドをプリンタ１０１へ送信し、通信制御部１０５は無線ＬＡＮ通信部１０２の設定を通信設定パラメータ記憶部から読み出して設定しなおし、セットアップを開始する前の設定値に戻す。
【００４１】
一方Ｓ２０４において、選択されたアクセスポイントのＳＳＩＤと同一のＳＳＩＤが、アクセスポイント検出情報に含まれる他のアクセスポイントのＳＳＩＤの中に存在した場合、例えば図６に示したアクセスポイント検出結果情報からＡＢＣＤＥＦＧというＳＳＩＤを選択した場合は（Ｓ２０４のＮＯ）、実際には図１５に示すように、ＡＢＣＤＥＦＧというＳＳＩＤに設定されているアクセスポイントが他にもう１台存在することになる。このような場合、主制御部２０２はプリンタ１０１にＳ２０３で選択および入力された設定情報を送信せず、表示部２０４に例えば図７に示すような警告メッセージを表示する（Ｓ２１５）。
【００４２】
図７では、警告メッセージとして、「同一のＳＳＩＤを他のアクセスポイントも使用しているため、アクセスできない可能性があります。アクセスポイントのＳＳＩＤを変更してください。」のように、操作者に対して、アクセスポイントのＳＳＩＤの変更を促す主旨が記載されている。と同時に操作用ボタンはＯＫボタンのみであり、ＯＫボタンを操作部２０５によってクリックされると（Ｓ２１６のＹＥＳ）、アクセスポイント検出結果画面を表示するステップ（Ｓ２０２）へ戻る。Ｓ２１６がＹＥＳのみの選択肢であることが、本実施の形態の特徴の一つである。
【００４３】
ステップＳ２０２へ戻って、図６に示したようなアクセスポイント検出結果表示画面が再び表示された場合、接続したいアクセスポイントのＳＳＩＤを変更せずに再度同じアクセスポイントのＳＳＩＤを選択すれば（Ｓ２０３のＹＥＳ）、再びステップＳ２０４でＮＯとなりステップＳ２１５に移行して図７に示した警告メッセージが表示される。接続したいアクセスポイントのＳＳＩＤを変更するか、接続したいアクセスポイントのＳＳＩＤと同一のＳＳＩＤであったアクセスポイントのＳＳＩＤの方が変更されない限り、または図６の中止ボタンをクリックしない限り、Ｓ２１５の警告メッセージが表示され、プリンタ１０１の無線ネットワークセットアップは完了せずに、Ｓ２０２からＳ２０４のＮＯ、Ｓ２１５およびＳ２１６が繰り返される。もう一つのこの繰り返しから抜ける手段はステップＳ２０３において、異なるアクセスポイントが選択される場合であるが、そのような場合は、即ち自分のものではないアクセスポイントに接続しようとしても暗号化設定がされていれば暗号化情報はわからないために接続不可能であり、Ｓ２０６のＮＯを経由してＳ２０２へ戻る。プリンタ１０１の無線ＬＡＮ通信部１０２は接続できたとしても、コンピュータ２０１は上記異なるアクセスポイントには接続されていないため、Ｓ２０８でプリンタ１０１を検出できずにＳ２１１へ移行し、Ｓ２１２でプリンタのネットワーク設定を変更してもプリンタ１０１とコンピュータ２０１は同一ネットワークに接続されていないことになるため、Ｓ２０６でコンピュータ２０１がプリンタ１０１を検出できないため、Ｓ２１４にて中止せざるを得なくなる。
【００４４】
ステップＳ２０２へ戻った際に、接続したいアクセスポイントのＳＳＩＤを他のアクセスポイントに設定されているＳＳＩＤとは異なるユニークなＳＳＩＤに変更し、図６の再検出ボタンをクリックすれば（Ｓ２１７のＹＥＳ）、ステップＳ２０１へ戻って、再度プリンタの無線ＬＡＮ通信部１０２にアクセスポイント検出指示を行い、その結果得られたアクセスポイント検出結果情報を表示する（Ｓ２０２）。ここで、新しく設定したＳＳＩＤを選択し（Ｓ２０３のＹＥＳ）、当該選択されたアクセスポイントのＳＳＩＤと同一のＳＳＩＤが、アクセスポイント検出情報に含まれる他のアクセスポイントのＳＳＩＤの中に存在しなくなれば（Ｓ２０４のＹＥＳ）、Ｓ２０５へ進めることになる。
【００４５】
一方Ｓ２０３で設定入力操作をするのではなく、アクセスポイントを再度検索する操作が実行された場合は（Ｓ２１１）、Ｓ２０２へ戻ってプリンタ１０１に対してアクセスポイントを検索するコマンドをＵＳＢ経由で送信する。セットアップを中止する操作がなされた場合は（Ｓ２１２）、これまでの処理を中断してプリンタ１０１のネットワークセットアップ処理を終了する。
【００４６】
この場合も、コンピュータ１０１からセットアップ中断のコマンドをプリンタ１０１へ送信し、通信制御部１０５は無線ＬＡＮ通信部１０２の設定を通信設定パラメータ記憶部から読み出して設定しなおし、セットアップを開始する前の設定値に戻す。
【実施例２】
【００４７】
図８は、図５に示した印刷装置１０１を無線ネットワークで使用するためのセットアップフローの一部を変更したフローチャートである。図５と同じ部分には同一符号を示してあり、説明を省略する。
【００４８】
図８のＳ２０４において、選択されたアクセスポイントのＳＳＩＤと同一のＳＳＩＤが、アクセスポイント検出情報に含まれる他のアクセスポイントのＳＳＩＤの中に存在した場合は（Ｓ２０４のＮＯ）、主制御部２０２はプリンタ１０１にＳ２０３で選択および入力された設定情報を送信せず、表示部２０４に例えば図９に示すような警告メッセージを表示する（Ｓ３１５）。
【００４９】
図９では、警告メッセージとして、「同一のＳＳＩＤを他のアクセスポイントも使用しているため、アクセスできない可能性があります。前の画面に戻りますか。」のように、操作者に対して、アクセスポイントのＳＳＩＤの変更を促すとともに、前の画面即ちＳ２０２で表示したアクセスポイント検出結果表示画面に戻るか、このままセットアップを進めるかの選択を求めている。「はい」のボタンがクリックされると（Ｓ３１６のはい）、ステップＳ２０２へ戻る。「いいえ」のボタンがクリックされると、主制御部２０２はＵＳＢ経由でプリンタ１０１にＳ２０３で選択および入力された設定情報を送信する（Ｓ２０５）。これを受信したプリンタ１０１の通信制御部１０６は受信した設定情報を無線ＬＡＮ通信部１０２に入力する。以後は図５と同様である。この場合はプリンタ１０１の無線ＬＡＮ通信部１０２は意図したアクセスポイントに接続される場合もあるが、選択したＳＳＩＤと同一のＳＳＩＤに設定された意図しないアクセスポイントの方に接続してしまう場合もある。前者の場合はＳ２０８でコンピュータ２０１が無線ネットワーク経由でプリンタ１０１を検出でき、ネットワークセットアップの完了（Ｓ２１０）まで進むことできるが、後者の場合はＳ２０８でコンピュータ２０１が無線ネットワーク経由でプリンタ１０１を検出でき検出できずにＳ２１１へ進むことになる。
【００５０】
Ｓ３１６がＳ２０２へ戻る選択肢とＳ２０５へ進む選択肢を有していることが、本実施の形態の特徴である。
【００５１】
Ｓ２０８でコンピュータ２０１が無線ネットワーク経由でプリンタ１０１を検出できれば、この時点ではプリンタ１０１を無線ネットワークで使用できるようになる。
【００５２】
Ｓ３１６で「はい」を選択してＳ２０２へ戻った場合は、図６に示したようなアクセスポイント検出結果表示画面が再び表示される。接続したいアクセスポイントのＳＳＩＤを変更せずに再度同じアクセスポイントのＳＳＩＤを選択すれば（Ｓ２０３のＹＥＳ）、再びステップＳ２０４でＮＯとなりステップＳ３１５に移行して図９に示した警告メッセージが表示される。
【００５３】
ステップＳ２０２へ戻った際に、接続したいアクセスポイントのＳＳＩＤを他のアクセスポイントに設定されているＳＳＩＤとは異なるユニークなＳＳＩＤに変更し、図６の再検出ボタンをクリックすれば（Ｓ２１７のＹＥＳ）、ステップＳ２０１へ戻って、再度プリンタの無線ＬＡＮ通信部１０２にアクセスポイント検出指示を行い、その結果得られたアクセスポイント検出結果情報を表示する（Ｓ２０２）。ここで、新しく設定したＳＳＩＤを選択し（Ｓ２０３のＹＥＳ）、当該選択されたアクセスポイントのＳＳＩＤと同一のＳＳＩＤが、アクセスポイント検出情報に含まれる他のアクセスポイントのＳＳＩＤの中に存在しなくなれば（Ｓ２０４のＹＥＳ）、Ｓ２０５へ進めることになり、Ｓ３１６のいいえからＳ２０５へ進んだ場合とは異なり、Ｓ２０６以後を経て問題なくセットアップが完了する（Ｓ２１０）。
【実施例３】
【００５４】
図１０は実施例３を説明するフローチャートである。図５および図８と同一部分には同一符号を付し、説明を省略する。本実施例では、セットアップの途中で警告メッセージを表示せずに、セットアップを完了したら警告メッセージを表示する例である。
【００５５】
図１０のステップＳ２０４において、選択されたアクセスポイントのＳＳＩＤと同一のＳＳＩＤが、アクセスポイント検出情報に含まれる他のアクセスポイントのＳＳＩＤの中に存在した場合は（Ｓ２０４のＮＯ）、主制御部２０２はメモリ２０３に、選択されたアクセスポイントのＳＳＩＤと同一のＳＳＩＤが、アクセスポイント検出情報に含まれる他のアクセスポイントのＳＳＩＤの中に存在したことを記憶させておく（Ｓ４１５）。続いて主制御部２０２はステップＳ２０４でＮＯだった場合と同様にプリンタ１０１にステップＳ２０３で選択および入力された設定情報を送信する（Ｓ２０５）。以後は図５と同様のステップを進めるが、ステップＳ２０９でコンピュータにプリンタ１０１と無線ネットワークで通信するためのポートを作成した後で、メモリ２０３を読み出して、選択されたアクセスポイントのＳＳＩＤと同一のＳＳＩＤが、アクセスポイント検出情報に含まれる他のアクセスポイントのＳＳＩＤの中に存在したことが記憶されているか否かを確認する（Ｓ４１６）。メモリ２０３に、選択されたアクセスポイントのＳＳＩＤと同一のＳＳＩＤが、アクセスポイント検出情報に含まれる他のアクセスポイントのＳＳＩＤの中に存在したことが記憶されていない場合は（Ｓ４１６のＮＯ）、通常のセットアップ完了画面を表示する（Ｓ２１０）。ここではセットアップ完了画面には、プリンタ１０１の名称、ステップＳ２０９で作成したポートの名称およびＳ２０３で選択されたＳＳＩＤが表示されるものとする。一方、メモリ２０３に、選択されたアクセスポイントのＳＳＩＤと同一のＳＳＩＤが、アクセスポイント検出情報に含まれる他のアクセスポイントのＳＳＩＤの中に存在したことが記憶されている場合は（Ｓ４１６のＹＥＳ）、通常のセットアップ完了画面に警告メッセージを加えた、図１１に示すような画面を表示部２０４に表示する（Ｓ４１０）。従ってＳ４１０で表示されるセットアップ完了画面には、プリンタ１０１の名称、ステップＳ２０９で作成したポートの名称およびＳ２０３で選択されたＳＳＩＤと、「同一のＳＳＩＤを他のアクセスポイントも使用しているため、接続が不安定になる可能性があります。アクセスポイントのＳＳＩＤを変更して再びセットアップを行うことをおすすめします。」のようなメッセージが表示される。操作者は、この図１１に示すような画面を見れば、ＡＢＣＤＥＦＧというＳＳＩＤに設定されているアクセスポイントが、自分のもの以外にも近隣に存在することを知ることができ、自分のアクセスポイントのＳＳＩＤをＡＢＣＤＥＦＧ以外のＳＳＩＤに変更して再びセットアップを行うことができる。
【実施例４】
【００５６】
図１２は、実施例４に関わる無線ネットワーク対応プリンタの概略ブロック図である。
【００５７】
同図において１２０１はプリンタ、１２０２は無線ＬＡＮ通信部、１２０３はＵＳＢ（通信部、１２０４は無線ＬＡＮ通信部１２０２に設定したＳＳＩＤ（無線ＬＡＮの識別情報）や無線ＬＡＮ通信部１２０２に設定したＩＰアドレスなどの各種パラメータを記憶しておくための通信設定パラメータ記憶部、１２０５は通信設定パラメータ記憶部１２０４から読み出した値を無線ＬＡＮ通信部１２０２に設定したり、無線ＬＡＮ通信部１２０２またはＵＳＢ通信部１２０３を必要に応じて切り替え制御したり、無線ＬＡＮ通信部１２０２またはＵＳＢ通信部１２０３が受信したデータを処理したり、無線ＬＡＮ通信部１２０２またはＵＳＢ通信部１２０３のうち使用されている通信部へ送信データを入力するなどの通信制御部、１２０６は通信制御部１２０５が受信した印刷データを順次書き込むためのリングバッファなどから成る印刷データ一時記憶部、１２０７は印刷データ一時記憶部１２０６から読み出した印刷データに従って印刷媒体にインクを吐出するなどして印刷を実行する印刷エンジン部である。印刷エンジン部は上記のようなインクジェット方式に限らず、感熱方式、電子写真方式など他の方式であっても構わない。１２０８は液晶表示器などを利用した表示部、１２０９は複数のキーなどから成る操作部である。図示していないが、プリンタ１２０１は画像読み取り手段、コピー手段、ＦＡＸ通信手段などを併せ持つ、いやゆるマルチファンクションプリンタであってもよい。
【００５８】
図１２に示したようなプリンタの場合、表示部１２０８および操作部１２０９を有しているため、前述した実施例のようにコンピュータ２０１とＵＳＢで接続しなくても、ローカルで無線ネットワークのセットアップが可能である。図４に示したプリンタドライバのインストールに続いて無線ネットワークのセットアップを実施してもよいが、プリンタドライバのインストールとは独立して無線ネットワークのセットアップを実施することも可能である。この場合、表示部１２０８に図６、図７、図９、図１１に示したような表示を行い、コンピュータ２０１からコマンドを受信する代わりに、操作部１２０９で操作されたことにより生成されたコマンドによってプリンタ内の操作を行うことができる。
【００５９】
更に、図５および図８ではＳ２０６のＹＥＳでプリンタ１２０１側の無線ネットワークセットアップを完了とする。図５および図８のＳ２０７以後は、前記セットワップ完了後に、コンピュータ２０１にプリンタ１２０１のドライバソフトウェアをインストールすれば、無線ネットワーク経由で通信可能となるため、図４のＳ１０２の代わりに無線ネットワーク経由でプリンタ１２０１を検索、即ち図５のＳ２０７を実施してＳ２０８でＹＥＳとなればＳ１０４のＹＥＳと同等となり、Ｓ１０５のプリンタ情報設定以後に進むことができ、プリンタドライバのインストールがＵＳＢなどによるローカル接続を行わなくとも完了できる。
【００６０】
図１０に相当するフローにおいても、図１０に示すＳ４１６の判断をＳ２０６がＹＥＳになった時点で行い、Ｓ２１０およびＳ４１０の表示を表示部１２０８にすればよい。更にＳ２０７、Ｓ２０８、Ｓ２０９、Ｓ２１１、Ｓ２１２、Ｓ２１３、Ｓ２１４はドライバのインストールに続けて行えばよいことになる。
【００６１】
以上のように上記実施例によれば、印刷装置等の周辺装置を接続させたいアクセスポイントと同一のＳＳＩＤに設定されたアクセスポイントが、印刷装置から電波が届く範囲に他にも存在する環境ではセットアップを続行させない。即ち、印刷装置を接続させたいアクセスポイントと異なるアクセスポイントに接続してしまう可能性がある環境では、印刷装置の無線ネットワークセットアップを続行させず、印刷装置を接続させたいアクセスポイントのＳＳＩＤを変更して、当該アクセスポイントと同じＳＳＩＤに設定されているアクセスポイントが、印刷装置から電波が届く範囲には他に存在しない環境になればセットアップを続行させることが可能となる効果がある。
【００６２】
また、警告メッセージを読んでもその時点でアクセスポイントの設定変更ができないユーザのために、そのまま続けるための手段も設け、アクセスポイントの設定変更がすぐに行える場合のために、アクセスポイント検出結果表示画面に戻り、アクセスポイントの設定変更が行われれば、アクセスポイントを再度検出させて、設定変更後のアクセスポイントのＳＳＩＤを選択してセットアップを継続できるようにすることも可能となる効果がある。
【００６３】
また、セットアップを完了してからＳＳＩＤの設定変更を奨めるメッセージを表示することのより、一旦は印刷装置の無線ネットワーク印刷装置のセットアップを完了させて印刷装置を無線ネットワークで使用でき得る状態にし、アクセスポイントの設定変更を行ったら、再度印刷装置の無線ネットワークセットアップを行えばよく、一時的に印刷装置を無線ネットワークで使用できるようにする効果がある。
【産業上の利用可能性】
【００６４】
本発明はネットワーク通信手段を有する印刷装置のみならず、コンピュータ用ネットワークアダプタ、デジタルカメラなどのネットワーク通信部またはその他のネットワーク端末装置にも応用できる可能性がある。
【図面の簡単な説明】
【００６５】
【図１】本発明の実施例に関わる印刷装置のブロック図である。
【図２】本発明の実施例に関わるコンピュータの概略ブロック図である。
【図３】本発明の実施例に関わるシステム構成図である。
【図４】本発明の実施例に関わるプリンタドライバソフトウェアをインストールする手順を示す概略フローチャートである。
【図５】本発明の実施例に関わる無線ネットワークセットアップ手順を示すフローチャートである。
【図６】本発明の実施例に関わるアクセスポイント検出結果表示例を示す図である。
【図７】本発明の実施例に関わる警告メッセージの表示例を示す図である。
【図８】本発明の実施例２に関わる無線ネットワークセットアップ手順を示すフローチャートである。
【図９】本発明の実施例２に関わる警告メッセージの表示例を示す図である。
【図１０】本発明の実施例２に関わる無線ネットワークセットアップ手順を示すフローチャートである。
【図１１】本発明の実施例３に関わる警告メッセージの表示例を示す図である。
【図１２】本発明の実施例４に関わるプリンタの概略ブロック図である。
【図１３】背景技術に関わる無線ネットワークの概念図である。
【図１４】背景技術に関わる無線ネットワークのシステム構成図である。
【図１５】本発明の実施例に関わるアクセスポイント検出結果例を示す図である。
【符号の説明】
【００６６】
１０１、３０１、１２０１  プリンタ
１０２、２０６、１２０２  無線ＬＡＮ通信部
１０３、１２０３  ＵＳＢ通信部
１０４、１２０４  通信設定パラメータ記憶部
１０５、１２０５  通信制御部
１０６、２１４、１２０６  印刷データ一時記憶部
１０７、１２０７  印刷エンジン部
２０１、３０２、１４０１、１４０２  コンピュータ
２０２  主制御部
２０３  メモリ
２０４、１２０８  表示部
２０５、１２０９  操作部
２０７  無線ＬＡＮ用パラメータ記憶部
２０８  無線ＬＡＮ制御部
２０９  ＵＳＢ通信制御部
２１０  ＵＳＢポート
２１１  無線ＬＡＮポート
２１２  ポート切り替え制御部
２１３  印刷データ変換部
２１５  プリンタ状態読み取り制御部
３０３、１４０３  アクセスポイント機能付きルータ
３０４、１４０４  モデム
３０５、１４０５  ＬＡＮケーブル
３０６、１４０６  ＡＤＳＬなどの公衆回線
３０７、１４０７  ＷＡＮ
３０８  ＵＳＢケーブル
１３００、１３１０  無線ネットワーク
１３０１、１３１１  アクセスポイント
１３０２、１３０３、１３０４、１３０５、１３１２、１３１３、１３１４、１３１５  無線ネットワーク端末装置
【図１】
2006333083.tif 000003
【図２】
2006333083.tif 000004
【図３】
2006333083.tif 000005
【図４】
2006333083.tif 000006
【図５】
2006333083.tif 000007
【図６】
2006333083.tif 000008
【図７】
2006333083.tif 000009
【図８】
2006333083.tif 000010
【図９】
2006333083.tif 000011
【図１０】
2006333083.tif 000012
【図１１】
2006333083.tif 000013
【図１２】
2006333083.tif 000014
【図１３】
2006333083.tif 000015
【図１４】
2006333083.tif 000016
【図１５】
2006333083.tif 000017